(57)【要約】【課題】用紙通路の開放状態での空間を大きくできるように構成する。【解決手段】ガイド装置５００は、給紙装置の用紙出口近傍の固定位置に回動支点を有し本体側の壁に対向して回動先端が近接・離間可能であり、近接したときは用紙通路の他方の面を形成し、離間したときは用紙通路を開放状態にする。この開放状態で、第２の回動体５０２の先端の回動位置が規制されたとしても、関節部が曲がり、回動支点から第２の回動体５０２の先端を結ぶ線と前記本体の壁とが成す角度θ１よりも、第１の回動支点から前記第１の回動体５０１の先端を結ぶ線と前記本体の壁とが成す角度θ２が大きくなる。【選択図】  図１０
2005031352.tif 000002
【特許請求の範囲】
【請求項１】
給紙装置からレジストローラの手前までの用紙通路の一方面を形成する本体側の壁と、
前記給紙装置の用紙出口近傍の固定位置に第１の回動支点を有し、前記本体側の壁に対向して、回動先端が近接・離間可能であり、近接したときは用紙通路の他方の面を形成し、離間したときは用紙通路を開放状態にするガイド装置とを有した画像形成装置において、
前記ガイド装置は、
前記第１の回動支点を有した第１の回動体と、
前記第１の回動体の先端に第２の回動支点を有し関節部を形成した第２の回動体とを有し、
前記開放状態で、前記第２の回動体の先端の回動位置が規制されたとしても、前記関節部が曲がることで、前記第１の回動支点から前記第２の回動体の先端を結ぶ線と前記本体の壁とが成す角度よりも、前記第１の回動支点から前記第１の回動体の先端を結ぶ線と前記本体の壁とが成す角度が大きくなるようにしたことを特徴とする画像形成装置。
【請求項２】
前記ガイド装置の外側であって、
前記画像形成装置本体の内部に略水平状態で進入し、前進・後退移動可能に取付けられ、前進側の先端部が前記ガイド装置に当接し、
前進したときに、前記関節部近傍を押圧して前記ガイド装置が前記用紙通路の他方の面を形成した状態を設定し、後退したときは、関節部近傍を押圧を開放する手差しトレイ装置をさらに備えた請求項１記載の画像形成装置。
【請求項３】
前記第１の回動体は、前記用紙通路を開放状態にする方向へスプリングにより付勢されていることを特徴とする請求項１記載の画像形成装置。
【請求項４】
給紙装置から排紙場所へ用紙を案内するメイン用紙通路を形成し、回動支点が画像形成装置本体の前記給紙装置側に設けられている２次転写装置と、
前記２次転写装置の内側に配置されており、前記画像形成装置本体の壁に対向して、前記給紙装置から出てきた用紙を前記メイン用紙通路に案内する導入用紙通路を形成し、前記画像形成装置本体の前記給紙装置側に第１の回動支点を有した第１の回動体と、前記第１の回動体の先端に第２の回動支点を有し関節部を形成した第２の回動体とを有し、前記第１の回動支点を中心に回動して前記導入用紙通路を開放した状態では、前記第２の回動体の先端の回動位置が前記２次転写装置により規制されたとしても、前記関節部が曲がることで、前記第１の回動支点から前記第２の回動体の先端を結ぶ線と前記本体の壁とが成す角度よりも、前記第１の回動支点から前記第１の回動体の先端を結ぶ線と前記本体の壁とが成す角度が大きくなるガイド装置と、
前記ガイド装置の外側であって、前記画像形成装置本体の内部に略水平状態で進入し、前進・後退移動可能に取付けられ、前進側の先端部が前記ガイド装置に当接し、前進したときに、前記関節部近傍を押圧して前記ガイド装置が前記用紙通路の他方の面を形成した状態を設定し、後退したときは、関節部近傍を押圧を開放する手差しトレイ装置と
を具備した画像形成装置。
【請求項５】
間隔をおいた左右の取付け部が、前記手差しトレイ装置を跨ぐように配置され、前記画像形成装置本体の給紙位置側に回動支点を有し、前記画像形成装置本体に上端側がロックされた閉状態と、前記上端側のロックを解除して回動させた開状態を得る自動両面装置を更に有し、
自動両面装置には、前記手差しトレイ装置に係合する係合部分が形成されており、この自動両面装置が前記開状態から閉状態に移行するときは、前記手差しトレイ装置を前記前進状態に制御することを特徴とする請求項４記載の画像形成装置。
【請求項６】
前記手差しトレイ装置は、前記後退する方向へスプリングにより付勢されていることを特徴とする請求項５記載の画像形成装置。
【発明の詳細な説明】
【０００１】
【発明の属する技術分野】
この発明は、複写機、プリンタ、スキャナー及びファクシミリ等の画像形成装置に関するものであり、用紙通路の開放状態での空間を大きくできるように改善したものである。
【０００２】
【従来の技術】
画像形成装置では、用紙の用紙通路の途中に転写装置が設けられている。転写装置は、用紙にトナー像を転写するものである。トナー像が転写された用紙は、さらに用紙通路を進行し、定着装置でトナー像の定着処理が行われる。定着処理が行われた用紙は、排紙部に導かれる。
【０００３】
用紙を搬送する用紙通路は、種々の要因で、紙詰まりを引き起こすことがある。したがって用紙通路を構成する周辺装置は、ジャム紙処理のために用紙通路を狭状態から開放状態にできるように構成される。
【０００４】
【特許文献１】
特開２００３−７２９７６
【０００５】
【発明が解決しようとする課題】
上記したように、用紙に対してトナー像の転写を行う用紙通路は、給紙装置から送られる用紙と、用紙を反転して搬送する自動両面装置からの用紙と、さらには手ざしトレイ装置からの用紙とを受け入れることができる。以下トナー像の転写を行う用紙通路を、メイン用紙通路とし、このメイン用紙通路に用紙を搬送してくる部分を、導入用紙通路として説明することにする。
【０００６】
近年では画像形成装置の小型化が得られ、上記の用紙を搬送する用紙通路周囲の構造が複雑化している。このために、ジャム紙処理のために用紙通路を狭状態から開放状態にするために、周辺装置を開いても、充分な空間が得られず、ジャム紙を取り出すのに不便である。さらにまた、用紙通路を開放する場合、周辺装置、例えば自動両面装置及び２次転写装置などを大きく開くことができれば好ましいが、これら周辺装置を大きく開くことができないという事情もある。つまり画像形成装置本体は、周辺空間の狭い場所でも設置できるように工夫されているからである。
【０００７】
そこでこの発明の目的は、用紙通路の開放状態での通路空間を大きくできるように構成された画像形成装置を提供することにある。
【０００８】
【課題を解決するための手段】
この発明は、上記の目的を達成するために、給紙装置からレジストローラの手前までの用紙通路の一方面を形成する本体側の壁と、前記給紙装置の用紙出口近傍の固定位置に第１の回動支点を有し、前記本体側の壁に対向して、回動先端が近接・離間可能であり、近接したときは用紙通路の他方の面を形成し、離間したときは用紙通路を開放状態にするガイド装置とを有した画像形成装置において、前記ガイド装置は、前記第１の回動支点を有した第１の回動体と、前記第１の回動体の先端に第２の回動支点を有し関節部を形成した第２の回動体とを有し、前記開放状態で、前記第２の回動体の先端の回動位置が規制されたとしても、前記関節部が曲がることで、前記第１の回動支点から前記第２の回動体の先端を結ぶ線と前記本体の壁とが成す角度よりも、前記第１の回動支点から前記第１の回動体の先端を結ぶ線と前記本体の壁とが成す角度が大きくなるようにしたことを基本とする。
【０００９】
【発明の実施の形態】
以下、この発明の実施の形態を図面を参照して説明する。
【００１０】
図１は、この発明に係る画像形成装置（例えばデジタル式カラー複写機）の内部構成を概略的に示している。本発明の画像形成装置１は、スキャナ機能、印刷機能、複写機能、ファクシミリ機能及びネットワーク接続機能などを有するマルチファンクション・ペリフェラルズ（ＭＦＰ）に適用した場合で説明する。先ず画像形成装置１の全体構造を簡単に説明する。
【００１１】
図１に示すように、デジタル複写装置（画像形成装置）１は、画像読取部（スキャナ）１０１と、画像形成部１０２とを有する。スキャナ１０１は、複写対象物の画像を、光の明暗として捕らえて光電変換し、画像信号を生成する部分である。画像形成部１０２は、スキャナ１０１あるいは外部から供給される画像信号に対応する画像を形成して被定着部材（被転写体）である用紙に定着する部分である。
【００１２】
画像形成部１０２は、感光体が外周に形成された円筒状の感光体ドラム１０３を有する。感光体は、所定の電位が与えられた状態で光が照射されることで、光が照射された領域の電位が変化され、その電位の変化を静電像として所定時間の間保持できる。
【００１３】
感光体ドラム１０３には、露光装置１０４により画像情報が露光される。つまり、露光装置１０４は、スキャナ１０１または外部装置から供給される画像情報に対応して光強度が変化されたレーザビームを出力する。これにより、感光体ドラム１０３に、静電像すなわち画像が形成される。
【００１４】
感光体ドラム１０３に形成された画像は、現像装置１０５によりトナー（現像剤）が選択的に供給されることで可視化（現像）されて、図示しないトナー像に変換される。
【００１５】
感光体ドラム１０３上のトナー像は、第１転写装置１０６に転写のための電圧が供給されることで、転写ベルト１０７に転写される。次に、転写ベルトのトナー像は、第２転写装置４００に転写のための電圧が供給されることで、給紙搬送部によって給送された転写材すなわち用紙に転写される。
【００１６】
用紙は、予めカセット、つまり給紙装置１２１から１枚ずつ取り出され、ピックアップローラ１２２によりアライニングローラ（或はレジストローラ）まで搬送されている。用紙は、アライニングローラにより、転写ベルト１０７に形成されたトナー像とタイミングが整合されて、転写位置に給送される。
【００１７】
転写装置４００により用紙に転写されたトナー像は、定着装置１３１により熱と圧力が加えられることで、用紙に定着される。
【００１８】
定着装置１３１により画像情報に対応する画像出力が定着された用紙Ｐは、排紙ローラ１２４により、画像出力媒体保持部（トレイ）１１２に排出される。
【００１９】
図２には、用紙Ｐがトレイ１１２に図示矢印Ａ１方向へ排出される直前の様子を示している。ここで、両面印刷機能が働いているときは、片面に印刷が済んだ用紙Ｐは、画像出力媒体保持部（トレイ）１１２に完全に排出されることはない。即ち、排出途中で、排紙ローラ１２４が逆転を始め、用紙反転処理に移る。このときは、用紙Ｐは今までとは進行方向が逆方向（図示矢印Ａ２方向）となり，自動両面装置（以下ＡＤＵと記述する）２００の上部側からＡＤＵ２００内に引き込まれる。ＡＤＵ２００内には、用紙を案内するための複数のローラが設けられており、用紙通路が形成されている。用紙は、ＡＤＵ２００の下部側を通り、再度、第２の転写装置４００が配置されている用紙通路に送り込まれる。これにより、今度は、用紙の裏面への印刷が実行されることになる。裏面への印刷が完了した用紙は、画像出力媒体保持部（トレイ）１１２に排出される。３００は手差しトレー装置であり、ここからも用紙通路へ向けて、用紙を給紙することができる。
【００２０】
上記のように、用紙に対してトナー像の転写を行う用紙通路は、給紙装置１２１から送られる用紙と、用紙を反転して搬送する自動両面装置２００からの用紙と、さらには手ざしトレイ装置３００からの用紙とを受け入れることができる。以下トナー像の転写を行う用紙通路を、メイン用紙通路とし、このメイン用紙通路に用紙を搬送してくる部分を、導入用紙通路として説明することにする。
【００２１】
用紙の用紙通路及びその周辺部品に関しては、部品のクリーニング作業、部品の交換作業、用紙通路でジャム紙が生じたときに、その除去作業が必要である。このために周辺装置は、支点を中心として回動自在な装置として構成され、必要な場合には、ロック状態を開放できるように構成されている。
【００２２】
図３は、ＡＤＵ２００が閉じた状態であり、画像形成装置のフロント側上部からみた様子を示している。手ざしトレイ装置３００は、そのテーブルが開放されている。ＡＤＵ２００は、間隔をおいた左右の取付け部２１１，２１２が、画像形成装置本体の下部に位置する給紙位置側に回動支点を有し、上端側を開閉自在である。画像形成装置本体の固定側板１００１、１００２に、上記のＡＤＵ２００が取付けられ支持されている。固定側板１００２と取付け部２１２とは、ピン１００３、これに対応する軸穴（図に現われず）と、ガイド溝１００４とガイドピン２２２との関係で連結されている。ガイドピン２２２と軸穴が、ＡＤＵ２００の取付け部２１２に設けられている。また固定側板１００１と取付け部２１１とは、軸２２３、これに対応するＵ字形軸受け部と、ガイドピンとこのガイドピンの受け止め部（図に現われず）で構成されている。軸２２３とガイドピンとが取付け部２１１に設けられている。
【００２３】
図４は、ＡＤＵ２００が閉じた状態であるが、画像形成装置のフロント側を内側から見た様子を示している。図４は用紙通路が見えた状態でもある。この状態であると、２次転写装置４００と、ガイド装置５００（５０１，５０２，５０３，５１１を含む）が見える。
【００２４】
２次転写装置４００は、自動両面装置（ＡＤＵ）２００の内側に重なるように配置され、給紙位置１２１側に回動支点を有し、本体側との間にメイン用紙通路を形成する。ガイド装置５００は、給紙装置１２１から出てきた用紙をメイン用紙通路に案内する導入用紙通路を形成しており、第１の回動体５０１、第２の回動体５０２を有する。即ち、第１の回動体５０１は、給紙装置１２１側に回動支点を有し、第２の回動体５０２は、第１の回動体５０１の先端に回動支点（軸５０３により取付けられている）を有し関節部を形成している。第２の回動体５０２には、ローラ５１３も取付けられている。
【００２５】
図５は、上記のＡＤＵ２００の上端のロックを解除し、ＡＤＵ２００を回動支点を中心に回転させ開いた様子を、フロント側上部から見て示している。図６には、画像形成装置１の全体像と、ＡＤＵ２００が開いた様子を示している。
【００２６】
図７には、さらに２次転写装置４００が開いた様子を、フロント側から見て示している。図８は、図７の状態をフロント側内側から見て示している。図８と、図４に示されるガイド装置を比べるとわかるように、ガイド装置は、第１の回動体５０１と第２の回動体５０２と間の関節部が機能している。つまり、第１の回動体５０１が大きく回動し、導入用紙通路の空間を大きくしている。この点は、後でさらに詳しく説明する。
【００２７】
図９には、２次転写装置４００及びＡＤＵ２００が閉じた様子を、断面図により示している。このときは、ガイド装置５００は、そのガイドローラ５１３を本体側の壁に設けられたローラ１７３に当接させている。ガイド装置５００の第１の回動体５０１は、軸５１１により画像形成装置本体の固定部１０１３（図１５、図１６参照）に回動自在に取付けられている。また第１の回動体５０１は、軸５１１を中心に右方向へ回転するように付勢されている。軸５１１の回りにはこの付勢を実現するためにねじりバネ（図示せず）が取付けられている。したがって、第１の回動体５０１に対する押圧力が開放されると、図１０に示すようにねじりバネの力で導入用紙通路を開放するように回動する。なお、図ではあらわれていないが、第１の回動体５０１に対して関節部を支点にして第２の回動体５０２が回動するが、その回動範囲は、図ではあらわれていないが、ストッパーにより規制されている。
【００２８】
また画像形成装置本体側には、レジストローラ７０１，７０３が取付けられている。さらに給紙装置の出口には、給紙ローラ対７１１，７１２が取付けられている。さらに７２１、７２２は、用紙の流れを検知するセンサであり、用紙が長時間存在することが検知されると、システム制御部によりジャム紙が発生したものと判定されるようになっている。
【００２９】
図１０は、ＡＤＵ２００及び２次転写装置４００が開いた様子を、断面図により示している。この図１０は、図７、図８の状態に対応する。このときは、ＡＤＵ２００の係合部２１３（図１１、図１２参照）が、手差しトレイ装置３００の制御ピン３３０（図１３、図１４参照）を開放する。すると、手差しトレイ装置３００は、前進状態から後退状態に遷移する。手差しトレイ装置３００は、ガイド装置の外側であって、画像形成装置本体の内部に略水平状態で進入し、前進・後退移動可能に取付けられている。手差しトレイ装置３００の本体と、画像形成装置本体の固定部１００２との間には、リンクレバー３２１、３２２（図１３、図１４参照）によるリンク機構が構成されている。リンクレバー３２１、３２２の一端は、軸３２３、３２４により固定部１００２に回動自在に取付けられている。またリンクレバー３２１、３２２の他端は、軸３２５、３２６により手差しトレイ装置３００の本体に取付けられている。さらに例えばリンクレバー３２２が、コイルスプリング３２７により張引されている。このために、この手差しトレイ装置３００は、常に後退する方向へ付勢されていることになる。つまり図１３の状態から図１４の状態へ変位するように付勢されている。
【００３０】
図１０に示されるように、ＡＤＵ２００が開かれると、手差しトレイ装置３００も後退する。ここで、さらに転写装置４００が開かれると、ガイド装置５００の第１の回動体５０１が大きく開くことになる。転写装置４００が閉じられて、次に、ＡＤＵ２００が閉じられると、図９の状態に戻る。このとき、手差しトレイ装置３００は、ＡＤＵ２００の係合部２１３（図１１、図１２参照）が、手差しトレイ装置３００の制御ピン３３０（図１３、図１４参照）をテーパー部にそって押し付けることになる。すると、トレイ装置３００がコイルスプリング３２７に抗して図１０から図９の状態へ変位する。このとき、手差しトレイ装置３００の先端部３１２（図１３、図１４参照）は、ガイド装置５００の関節部付近を押圧する。このためにガイド装置５００は、関節部が延びる方向へ押圧され、用紙の用紙通路を狭状態にする。
【００３１】
図１１と図１２は、ＡＤＵ２００の動きをわかり易くするために、図９、図１０からＡＤＵ２００を取り出して示している。ＡＤＵ２００の取付け部２１１は、画像形成装置本体１の固定部１００１により支持されている。取付け部２１１には、係合部２１３が形成され、手差しトレイ装置３００の制御ピン３３０に対して係合或は、制御ピン３３０から離脱する。ＡＤＵ２００が開いた状態から閉じられると、制御ピン３３０が係合部２１３のテーパー部に押される。この結果、手差しトレイ装置３００が、後退した状態から前進する方向へ移動される。
【００３２】
図１３と図１４は、手差しトレイ装置３００の動きをわかり易くするために、図９、図１０から手差しトレイ装置３００を取り出して示している。手差しトレイ装置３００は、先端部３１２を有する。先端部３１２は、前進したときに（図１４から図１３の状態に移行したときに）ガイド装置５００の関節部付近を押圧する。これにより、ガイド装置５００は、導入用紙通路を狭状態にし、通路を形成する。
【００３３】
図１５、図１６は、ガイド装置５００及び２次転写装置４００の動きをわかり易くするために、図９、図１０からガイド装置５００及び２次転写装置４００を取り出して示している。２次転写装置４００の基端部４１２は、画像形成装置本体の固定部に取付けられている軸４１１を中心にして、上端側を回動自在である。２次転写装置４００は、２次転写部４０１を有する。２次転写装置４００は、閉じた状態のとき、ガイド装置５００の第２の回動体５０２の先端を押圧する押圧部分４１３（図１０、図１６を参照）を有する。
【００３４】
図１６は、２次転写装置４００が開いた状態を示している。このときは、ガイド装置５００の第１の回動体５０１と第２の回動体５０２の関節部が曲がり、本体側と関節部との間に形成される空間を大きくしている。したがって、この部分にジャム紙が存在した場合、ユーザは容易に空間部に手を挿入し、ジャム紙を取り除くことができる。別の見方をすれば、ガイド装置５００は、第１の回動体５０１と第２の回動体５０２に分割され、両者が軸５０３によりリンクしている構造である。第１の回動体５０１は、ガイド装置５００全体に比べてその長さが短いために、開く方向へ回動する場合、障害がないために大きく開くことができる。ただし、第２の回動体５０２の先端は、２次転写装置４００の一部に衝突し、回動が規制される。この結果、ガイド装置５００全体が、開放状態となったとき、第２の回動体５０２は、第１の回動体５０１の開く方向とは逆方向へ少し回動することになる。
【００３５】
図１７は、画像形成装置内部に、用紙が通過するメイン用紙通路Ｒ１０に対して、さらに導入用紙通路Ｒ１１，Ｒ１２，Ｒ１３が存在することを簡略化して示してる。ここでは、第１の導入用紙通路Ｒ１１は、給紙装置からレジストローラ７０１、７０２の手前付近まで、第２の導入用紙通路Ｒ１２は、自動両面装置２００からレジストローラ７０１、７０２の手前付近まで、第３の導入用紙通路Ｒ１３は、手差しトレイ装置３００から、レジストローラ７０１、７０２の手前付近までとしている。そして、メイン用紙通路Ｒ１０は，レジストローラ７０１、７０２の位置を含み、排紙位置までの通路である。３４１、３４２は手差しトレイ装置３００に設けられた用紙給紙ローラである。
【００３６】
上記したようにこの発明にかかる装置の特徴部分をまとめると次のようになる。特徴が最も現われている図１０を参照して説明する。本体側の壁７２３が給紙装置１２１からレジストローラ７０１，７０２の手前までの用紙通路の一方面を形成する。ガイド装置５００は、給紙装置１２１の用紙出口近傍の固定位置に第１の回動支点５１１を有し、本体側の壁７２３に対向して、回動先端が近接・離間可能である。ガイド装置５００は、近接したときは用紙通路の他方の面を形成し、離間したときは用紙通路を開放状態にする。ここで前記ガイド装置は、第１の回動支点を有した第１の回動体５０１と、第１の回動体５０１の先端に第２の回動支点を有し関節部を形成した第２の回動体５０２とを有する。そして、ガイド装置５００は、開放状態で、第２の回動体５０２の先端の回動位置が規制されたとしても、関節部が曲がることで、第１の回動支点５１１から第２の回動体５０２の先端を結ぶ線と前記本体の壁７２３とが成す角度θ１よりも、第１の回動支点５１１から第１の回動体５０１の先端を結ぶ線と本体の壁７２３とが成す角度θ２が大きくなる。ガイド装置５００は、例えば硬質の合成樹脂で構成される。
【００３７】
さらにこの発明の装置であると、図９からわかるように、ガイド装置５００の上端が、２次転写装置４００の一部で押し付けられ（上部押し付け部）、関節部付近が手差しトレイ装置３００の先端部で押し付け（下部押し付け部）られる。そして、ガイドローラ５１３が上下押し付け部の間に位置する。この結果、ガイド装置５００は、安定して用紙通路側に押し付けられた状態となり、用紙搬送力も安定することになる。
【００３８】
手差しトレイ装置３００は、ガイド装置５００の外側に位置する。手差しトレイ装置３００は、画像形成装置本体の内部に略水平状態で進入し、前進・後退移動可能に取付けられ、前進側の先端部がガイド装置５００に当接する。そして、手差しトレイ装置３００は、前進したときに、関節部近傍を押圧してガイド装置が用紙通路の他方の面を形成した状態を設定し、後退したときは、関節部近傍を押圧を開放する。第１の回動体５０１は、用紙通路を開放状態にする方向へ例えばねじりスプリング５１５により付勢されている。また手差しトレイ装置３００は、後退する方向へ例えばコイルスプリング３２７付勢されている。手差しトレイ装置３００は、硬質の合成樹脂で成形されている部分が大半である。
【００３９】
【発明の効果】
以上説明したようにこの発明は、用紙通路の開放状態での空間を大きくでき、ジャム紙の除去作業、部品交換、さらには部品クリーニングなどが容易となる。
【図面の簡単な説明】
【図１】この発明の画像形成装置の概略を示す説明図。
【図２】図１の一部であり、自動両面装置の部分を取り出して示す説明図。
【図３】本発明に係る画像形成装置のフロント側で自動両面装置が閉じられている状態を示す斜視図。
【図４】本発明に係る画像形成装置のフロント側で自動両面装置が閉じられている状態であり、画像形成装置の内部から見た状態を示す斜視図。
【図５】本発明に係る画像形成装置のフロント側で自動両面装置が開いている状態を示す斜視図。
【図６】本発明に係る画像形成装置のフロント側で自動両面装置が開いている状態であり、画像形成装置全体を含めてを示す斜視図。
【図７】本発明に係る画像形成装置のフロント側で自動両面装置及びその奥の２次転写装置が開いている状態を示す斜視図。
【図８】本発明に係る画像形成装置のフロント側で自動両面装置及びその奥の２次転写装置が開いている状態であり、画像形成装置の内部から見た状態を示す斜視図。
【図９】２次転写装置及び自動両面装置が閉じた様子を示す断面図。
【図１０】２次転写装置及び自動両面装置が開いた様子を示す断面図。
【図１１】自動両面装置を図９からを取り出して示す説明図。
【図１２】自動両面装置を図１０からを取り出して示す説明図。
【図１３】手差しトレイ装置を図９からを取り出して示す説明図。
【図１４】手差しトレイ装置を図１０からを取り出して示す説明図。
【図１５】２次転写装置及びガイド装置を図９からを取り出して示す説明図。
【図１６】２次転写装置及びガイド装置を図１０からを取り出して示す説明図。
【図１７】本発明に係る画像形成装置の用紙通路の説明図。
【符号の説明】
１２１…給紙装置、２００…自動両面装置（ＡＤＵ）、３００…手差しトレイ装置、４００…転写装置、５００…ガイド装置、５０１…第１の回動体、５０２…第２の回動体。
【図１】
2005031352.tif 000003
【図２】
2005031352.tif 000004
【図３】
2005031352.tif 000005
【図４】
2005031352.tif 000006
【図５】
2005031352.tif 000007
【図６】
2005031352.tif 000008
【図７】
2005031352.tif 000009
【図８】
2005031352.tif 000010
【図９】
2005031352.tif 000011
【図１０】
2005031352.tif 000012
【図１１】
2005031352.tif 000013
【図１２】
2005031352.tif 000014
【図１３】
2005031352.tif 000015
【図１４】
2005031352.tif 000016
【図１５】
2005031352.tif 000017
【図１６】
2005031352.tif 000018
【図１７】
2005031352.tif 000019